(57)【要約】【課題】製品を変形させること、或いはその表面を傷つけることなく高度に効果的に製品を減速させ得る熱間圧延長尺鋼材の分割及び減速方法を提供する。【解決手段】本方法は、搬送経路に沿い連続して切断機１３及び減速機１４を配置し、減速機１４は、複数の偏向ロールにより先行された一組の駆動ピンチロールを備えるステップと、推進する製品と比較して少なくとも同等な初期速度でピンチロール１６を製品の先行する部分に接触させるステップと、製品の残りの部分から先行する部分を切断する切断機１２を駆動させるステップと、及び、ピンチロールの速度を減速させ、及び製品の部分を搬送経路から波状経路に偏向させるために偏向ロールを駆動させることで、先行部分を減速させるステップと、を備える。【選択図】図１
2007319932.tif 000002
【特許請求の範囲】
【請求項１】
圧延装置から搬送経路に沿って冷却床に推進する熱間圧延長尺製品を分割及び減速する方法において、
（ａ）前記搬送経路に沿い連続して切断機及び減速機を配置し、前記減速機は複数の偏向ロールにより先行された一組の駆動ピンチロールを備えるステップと、
（ｂ）前記推進する製品と比較して少なくとも同等な初期速度で前記ピンチロールを前記製品の先行する部分に接触させるステップと、
（ｃ）前記製品の残りの部分から前記先行する部分を分離する前記切断機を駆動させるステップと、及び、
（ｄ）（１）前記ピンチロールの速度を減速させ、及び（２）前記製品の部分を前記搬送経路から波状経路に偏向させるために前記偏向ロールを駆動させることで、前記先行部分を減速させるステップと、
を備えることを特徴とする方法。
【請求項２】
ステップ（ｂ）、（ｃ）及び（ｄ）は連続的に行われることを特徴とする請求項１に記載の方法。
【請求項３】
ステップ（ｄ）（１）、及び（ｄ）（２）は略同時に行われることを特徴とする請求項２に記載の方法。
【請求項４】
前記初期速度は、製品の推進速度よりも速いことを特徴とする請求項１乃至３のいずれか１に記載の方法。
【請求項５】
前記偏向ロールは惰性で回転し、前記搬送経路の対向する側に波状に配置されることを特徴とする請求項１に記載の方法。
【発明の詳細な説明】
【技術分野】
【０００１】
本発明は、一般的に、熱間圧延長尺製品を冷却床に供給する圧延装置に関し、特に、冷却床への到着前にそれらの鋼材を分割及び減速する方法に関連する。本明細書にて採用する「長尺製品」という用語は、鉄筋（ｂａｒｓ）及び棒鋼（ｒｏｄｓ）、及びそれらと同様な鋼材を指す。
【背景技術】
【０００２】
例えば、特許文献１に開示されているように、熱間圧延長尺鋼材を把持して減速させるために駆動ピンチロールを用いることは良く知られている。しかし、それを単独で使用すると、ピンチロールにより引き起こされる重圧により、製品の表面を変形させるか、或いは、さもなければ傷つける可能性がある。このことは、例えば、コンクリートを補強する鉄筋のような、リブ付の表面を有する製品に特に関係する。
【０００３】
特許文献２に例示されているように、長尺鋼材を引き伸ばされた波状の経路に偏向させることで減速させる波状のロールを用いることも知られている。しかし、それを単独で使用すると、そのように波状のロール構成は、昨今の圧延装置のより高い搬送速度では製品を適切に減速できない。さらに、製品を減速するために波状のロール構成を用いると、その先端部が丸い塊状になり易い。
【０００４】
【特許文献１】米国特許第４，４１３，４９４号明細書
【特許文献２】米国特許第４，８８４，４２９号明細書
【特許文献３】米国特許第６，９２０，７７２号明細書
【特許文献４】米国特許第６，１２８，９３７号明細書
【特許文献５】米国特許第３，７９８，９５０号明細書
【特許文献６】米国特許第４，０７４，５５５号明細書
【発明の開示】
【発明が解決しようとする課題】
【０００５】
本発明は、ピンチロール又は波状のロールのいずれかを用いたとしても、それらを単独で使用すると問題が発生し、それらを協同して適用することで、製品を変形させること、或いはその表面を傷つけることなく高度に効果的に製品を減速させ得るという発見から生み出される。
【課題を解決するための手段】
【０００６】
本発明に係る方法は、圧延装置から搬送経路に沿って冷却床に推進する熱間圧延長尺製品を分割及び減速する方法において、（ａ）前記搬送経路に沿い連続して切断機及び減速機を配置し、前記減速機は複数の偏向ロールにより先行された一組の駆動ピンチロールを備えるステップと、（ｂ）前記推進する製品と比較して少なくとも同等な初期速度で前記ピンチロールを前記製品の先行する部分に接触させるステップと、（ｃ）前記製品の残りの部分から前記先行する部分を分離する前記切断機を駆動させるステップと、及び、（ｄ）（１）前記ピンチロールの速度を減速させ、及び（２）前記製品の部分を前記搬送経路から波状経路に偏向させるために前記偏向ロールを駆動させることで、前記先行部分を減速させるステップと、を備えることを特徴とする。
【０００７】
また、上記方法は、ステップ（ｂ）、（ｃ）及び（ｄ）が連続的に行われることが好ましく、また、ステップ（ｄ）（１）、及び（ｄ）（２）が略同時に行われることが好ましく、また、前記初期速度が製品の推進速度よりも速いことが好ましく、さらに、前記偏向ロールが惰性で回転し、前記搬送経路の対向する側に波状に配置されることが好ましい。
【発明を実施するための最良の形態】
【０００８】
本発明のより詳細な記載及びその結果の有利な点は、添付された図面を参照することで明確となる。
【０００９】
最初に図１を参照し、最終の圧延スタンド１１から経路Ｐdに沿って長尺製品を受け入れるように用意された冷却床１０を備えた例示的な圧延装置の配置が示される。切断機１２は製品を分割し、切換機１３は供給され分割された製品を交互に経路Ｐd-1及びＰd-2に供給し、テーブル１０’上の冷却床の置き場へと導く。そこから、製品は冷却床を交差して横方向にふるいにかけられ、顧客の要求する長さに切断する、束ねるといった更なる処理のための機器（図示せず）に受け入れられる。
【００１０】
本発明に係る減速機１４は、切換機１３と冷却床１０との間であって経路Ｐd-1及びＰd-2に沿って配置される。更に、図２Ａ−図２Ｃを参照することで最も良く理解できるが、各減速機１４は、搬送経路Ｐの対向する側に交互に設置された複数の偏向ロール（ｄｅｆｌｅｃｔｏｒ  ｒｏｌｌｓ）１８により先行された一組の駆動ピンチロール１６を含む。この偏向ロール１８は惰性で回転することが好ましく、図２Ａ及び図２Ｂに示すように、搬送経路から離間した作動しない位置と、図２Ｃに示すように、搬送経路に突出した作動する位置とで調整可能である。これらの偏向ロール１８の作動しない位置及び作動する位置の調整は公知のメカニズム、或いは、それに限定されないが、本明細書に援用する特許文献２に開示された例により達成されて良い。
【００１１】
ピンチロール１６は、図２Ａに示す開位置と、図２Ｂに示す閉位置とで調整可能に駆動される。ピンチロール１６は、当業者にとって公知なメカニズム、或いは、それに限定されないが、本明細書に援用する特許文献３に開示された例により、図２Ａに示す開位置と、図２Ｂに示す閉位置とで調整可能に駆動されて良い。
【００１２】
動作に関する１つの実施例として、熱間圧延長尺製品は、圧延される製品の寸法により、約１４ｍ／秒から４０ｍ／秒までの間の速度Ｖ1で最終の圧延スタンド１１を通過する。図２Ａに示す状態の減速機により、先行する製品の一部は、切断機１２をそのまま通過し、切換機１３により経路Ｐd-1に導かれる。
【００１３】
図２Ｂに示すように、先行する製品の一部は、その後、製品の搬送速度Ｖ1に対し、少なくとも同等か、好ましくはそれよりもやや速い初期速度によりピンチロールの動作が行われる駆動ピンチロール１６に接触する。ここで適用する「速度」とは、製品に接触するピンチロール表面の回転速度を意味する。
【００１４】
その後、先行する製品の一部は、切断機１３の駆動により製品の残り部分から切断され、製品の後続部分は切換機１３により経路Ｐd-2に導かれる。残りの部分と切り離された切断後の先行する製品の一部は、圧延スタンドにより推進され、図２Ｃに示すように、ピンチロール１６は、速度Ｖ1より小さな速度Ｖ2に減速され、偏向ロール１８は経路Ｐdに移動して製品を波状の経路ＰSに偏向させる。波状の経路ＰSの引き伸ばされた長さは、ピンチロールの減速された速度と協同し、製品をより遅い速度Ｖ2に減速させる効果を発揮する。この協同作業は、同時に行うことが好ましいが、製品がピンチロール間で把持される力を減少するのを手助けすることが可能で、これにより、製品の変形を回避し、また製品の表面の模様を回避するか、少なくともその程度をより少なくする手助けになる。経路Ｐd-2に沿って移動する製品の後続部分は、同様に操作されて他の減速機により減速される。
【図面の簡単な説明】
【００１５】
【図１】本発明に基づくシステムを組み込んだ圧延装置の配置についての概略の平面図である。
【図２Ａ】異なる操作段階での減速機をそれぞれ表現した概略の説明図である。
【図２Ｂ】異なる操作段階での減速機をそれぞれ表現した概略の説明図である。
【図２Ｃ】異なる操作段階での減速機をそれぞれ表現した概略の説明図である。
【符号の説明】
【００１６】
１０  冷却床、１０’  テーブル、１１  圧延スタンド、１２  切断機、１３  切換機、１４  減速機、１６  ピンチロール、１８  偏向ロール。
【図１】
2007319932.tif 000003
【図２Ａ】
2007319932.tif 000004
【図２Ｂ】
2007319932.tif 000005
【図２Ｃ】
2007319932.tif 000006